(57)【特許請求の範囲】
【請求項１】
外周面に雄螺子が形成され上下方向開口の貫通孔が形成された支持筒と、
該支持筒の外周面に螺合された円筒状係合部と、該円筒状係合部の周面から下向き円錐状に形成された下向押え円板とからなる押え部材と、
上記支持筒の下面側に固定され下面に引掛孔を有する引掛コンセントと、
上記引掛コンセントに電気線を以って電気的に接続され、上記支持筒の上記貫通孔を通って上記支持筒の上側の開口から該支持筒外に引き出し可能な引掛プラグと、
上記支持筒の上面側に設けられ、該支持筒を天井面の取付部に接続するための上部取付具とから構成され、
上記引掛プラグを天井面の引掛シーリングコンセントに接続し、上記支持筒を上記上部取付具を以って上記天井面の取付部に固定すると共に、上記引掛コンセントの上記引掛孔に照明器具の引掛プラグを接続した状態において、
上記押え部材を上記支持筒に対して一方向に回転して該押え部材を上記照明器具の方向に移動させることにより、上記下向押え円板の下縁を上記照明器具の上面に当接し得るように構成したものであることを特徴とする照明器具の取付装置。
【請求項２】
上記上部取付具と上記天井面の取付部とをビスにて接続するように構成し、上記押え部材の上記下向押え円板に上記ビスの締め付け用のドライバの挿入孔を貫設したものである請求項１記載の照明器具の取付装置。
【請求項３】
上記押え部材の上記下向押え円板は透明素材により形成されたものである請求項１又は２記載の照明器具の取付装置。
【請求項４】
上記押え部材の上記下向押え円板の下縁の半径は、上記照明器具の中心から外側端までの距離の１／２以上である請求項１〜３の何れかに記載の照明器具の取付装置。
【請求項５】
上記支持筒の下面側に照明器具を接続するための下部取付具を設け、上記照明器具の上記引掛プラグを上記支持筒の上記引掛コンセントの上記引掛孔に接続すると共に、上記下部取付具に上記照明器具の取付部を接続固定したものであることを特徴とする請求項１〜４の何れかに記載の照明器具の取付装置。
【発明の詳細な説明】
【技術分野】
【０００１】
本発明は、天井面を汚すことなく、しかも照明器具を安定して取り付け可能な照明器具の取付装置に関するものである。
【背景技術】
【０００２】
従来、天井面に照明器具を取り付ける場合、例えば図１１（ａ）に示すように、天井面１に引掛シーリングコンセント２及びリング状取付金具３を固定し、照明器具４の引掛シーリングプラグ５から突出する金具５ａ，５ａを同図（ｂ）に示すように上記引掛シーリングコンセント２に接続し、照明器具４側の取付金具６を上記リング状取付金具３に接続固定することで、天井面１に上記照明器具４を取り付けることが行われていた（例えば、特許文献１）。
【先行技術文献】
【特許文献】
【０００３】
【特許文献１】特開平１０−２２８８１６号公報
【特許文献２】特開２０００−３４８５２６号公報
【発明の概要】
【発明が解決しようとする課題】
【０００４】
ところで、上述のような従来の照明器具の取り付け構造によると、照明器具４と天井面１とが近接しているので、長期間照明器具４を使用した後、該照明器具４の取替え、或いは引越し等によって照明器具４を天井面１から取り外したとき、照明器具４に対応する天井面１の部分が黒ずんでしまうという課題がある。このような天井面の黒ずみ（変色）は洗剤等により容易に洗浄できないため、例えば賃貸住宅等の場合において新たに物件として売り出すには、天井のクロスの張替えを必要とし、そのための大きなコストが発生するという課題がある。
【０００５】
このような天井面の汚れを未然に防止する方法としては、天井面１と照明器具４との間隔を大きくする方法がある。この場合、上記引掛シーリングコンセント２と上記照明器具４との間に何らかの吊下げ部材７を用いて照明器具４’を天井面１から大きく離すこといなるが（図１１（ｂ）吊下げ部材７参照）、照明器具４’が安定せず、ぐら付きが生じるため、室内照明の設置方法としては好ましくないという課題がある。
【０００６】
また、特許文献２に示すように、照明器具と天井面との間にぐら付き防止具を設置すると照明器具のぐら付きは抑えられるが、当該防止具が天井面１に常時接しているため、長期間の使用により、当該防止具の接触部及びその近傍の天井面が汚れてしまうという課題がある。
【０００７】
本発明は上記従来の課題に鑑みてなされたものであり、長期間使用しても天井面の黒ずみ等の汚れ（変色等）を抑制し得ると共に、照明器具のぐら付きも抑制可能な照明器具の取付装置を提供することを目的とする。
【課題を解決するための手段】
【０００８】
上記の目的を達成するため本発明は、
第１に、外周面に雄螺子が形成され上下方向開口の貫通孔が形成された支持筒と、該支持筒の外周面に螺合された円筒状係合部と、該円筒状係合部の周面から下向き円錐状に形成された下向押え円板とからなる押え部材と、上記支持筒の下面側に固定され下面に引掛孔を有する引掛コンセントと、上記引掛コンセントに電気線を以って電気的に接続され、上記支持筒の上記貫通孔を通って上記支持筒の上側の開口から該支持筒外に引き出し可能な引掛プラグと、上記支持筒の上面側に設けられ、該支持筒を天井面の取付部に接続するための上部取付具とから構成され、上記引掛プラグを天井面の引掛シーリングコンセントに接続し、上記支持筒を上記上部取付具を以って上記天井面の取付部に固定すると共に、上記引掛コンセントの上記引掛孔に照明器具の引掛プラグを接続した状態において、上記押え部材を上記支持筒に対して一方向に回転して該押え部材を上記照明器具の方向に移動させることにより、上記下向押え円板の下縁を上記照明器具の上面に当接し得るように構成したものであることを特徴とする照明器具の取付装置により構成される。
【０００９】
上記引掛コンセントは例えば支持筒（１３）下部の引掛コンセント（１６）により構成することができる。上記天井面の引掛シーリングコンセントは例えば引掛シーリングコンセント（１１）により構成することができる。上記上部取付具は例えば上部リング状金具（１４）により構成することができる。上記天井面の取付部は、例えば天井面（１０）に固定された引掛シーリングコンセント（１１）の係合金具（１１ｂ）とすることができる。このように構成すると、天井面に照明器具を取り付けた状態で、照明器具は押え部材の下向押え円板の下縁にて保持されるので、照明器具のぐら付きを抑制することができると共に、照明器具と天井面との間に上記押え部材の下向き円錐状の下向き押え円板が位置しているので、照明器具に対応する天井面の黒ずみ等の汚れ（変色等）を防止することができる。
【００１０】
第２に、上記上部取付具と上記天井面の取付部とをビスにて接続するように構成し、上記押え部材の上記下向押え円板に上記ビスの締め付け用のドライバーの挿入孔を貫設したものである上記第１記載の照明器具の取付装置により構成される。
【００１１】
このように構成すると、押え部材の下向押え円板の挿入孔からドライバーの先端部を挿入して上記ビスを回転させて上記上部取付具を天井面の取付部に固定することができるので、照明器具の取付装置の天井面への取付作業を円滑に行うことができる。
【００１２】
第３に、上記押え部材の上記下向押え円板は透明素材により形成されたものである上記第１又は２記載の照明器具の取付装置により構成される。
【００１３】
このように構成すると、照明器具の取付装置を天井面に取り付ける際、透明素材の下向押え円板を通して上部取付具や天井面の取付部を目視しながら作業を行うことができるので、取り付け作業性を向上することができる。
【００１４】
第４に、上記押え部材の上記下向押え円板の下縁の半径は、上記照明器具の中心から外側端までの距離の１／２以上である上記第１〜３の何れかに記載の照明器具の取付装置により構成される。
【００１５】
上記照明器具の中心から外側端までの距離の１／２以上とは、照明器具の中心から外側端までの距離（Ｔ）の１／２以上であって最大上記距離（Ｔ）までの長さをいう。このように構成すると、下向き押え部材の下縁が広い範囲で照明器具の上面を被覆するので、照明器具を安定して保持し得て照明器具のぐら付きを確実に抑制し得ると共に、天井面の黒ずみをも確実に防止することができる。
【００１６】
第５に、上記支持筒の下面側に照明器具を接続するための下部取付具を設け、上記照明器具の上記引掛プラグを上記支持筒の上記引掛コンセントの上記引掛孔に接続すると共に、上記下部取付具に上記照明器具の取付部を接続固定したものであることを特徴とする上記第１〜４の何れかに記載の照明器具の取付装置により構成される。
【００１７】
上記下部取付具は例えば下部リング状金具（１５）により構成することができる。上記照明器具の取付部は、例えば照明器具（２１）の接続部（２１ａ）とすることができる。このように構成すると、支持筒（１３）と照明器具とを確実に固定することができる。
【発明の効果】
【００１８】
本発明は上述のように、天井面に照明器具を取り付けた状態で、照明器具は押え部材の下向押え円板の下縁にて保持されるので、照明器具のぐら付きを効果的に抑制することができる。
【００１９】
また、照明器具と天井面との間に上記押え部材の下向き円錐状の下向き押え円板が位置しているので、照明器具に対応する天井面の黒ずみ等の汚れを効果的に防止することができる。
【００２０】
また、挿入孔からドライバを挿入して当該装置を天井面の取付部に固定することができるので、照明器具の取付装置の天井面への取り付け作業を円滑に行うことができる。
【００２１】
また、透明素材の下向押え円板を通して上部取付具や天井面の取付部を目視可能であるため、円滑に取り付け作業を行うことができる。
【００２２】
また、下向押え部材の下縁が広い範囲で照明器具の上面を被覆するので、照明器具のぐら付きを確実に抑制し得ると共に、天井面の黒ずみをも確実に防止することができる。
【図面の簡単な説明】
【００２３】
【図１】本発明に係る照明器具の取付装置の分解側面断面図である。
【図２】（ａ）は同上装置の天井面の引掛シーリングコンセントの斜視図、（ｂ）は同上コンセントの底面図である。
【図３】同上装置の支持筒、上部取付金具、下部取付金具の分解斜視図である。
【図４】同上装置の支持筒下面、支持筒の引掛コンセントの分解斜視図である。
【図５】同上装置の支持筒における引掛コンセントを取り外した状態の底面図である。
【図６】同上装置を天井面の引掛シーリングコンセントに取り付ける状態の同上装置の斜視図である。
【図７】（ａ）は同上装置の一部断面側面図、（ｂ）は同上装置の底面図である。
【図８】同上装置を天井面に取り付ける状態を示す同上装置の側面断面図である。
【図９】同上装置に照明器具を取り付けた状態を示す同上装置の側面図である。
【図１０】同上装置に照明器具を取り付けた状態を示す同上装置他の実施形態の側面図である。
【図１１】（ａ）は従来の照明器具を天井面に取り付ける状態の側面図、（ｂ）従来の照明器具を天井面に取り付けた状態を示す側面図である。
【発明を実施するための形態】
【００２４】
以下、本発明に係る照明器具の取付装置を詳細に説明する。
【００２５】
図１は同上取付装置の側面断面図を示すものであり、まず当該図面により本発明の全体を説明する。尚、図１において押え部材１７の下向押え円板１７ｂの外周部は省略して示している。
【００２６】
１０は天井面であり、該天井面１０に円板形の引掛シーリングコンセント１１が埋設固定されている。この引掛シーリングコンセント１１は、図２（ａ）（ｂ）に示すようにその下面に円弧状の一対の引掛孔１１ａ，１１ａが設けられており、後述の引掛シーリングプラグ２０のＬ型金属端子２０ａ，２０ａを挿入して回転させることにより、上記金属端子２０ａ，２０ａとコンセント１１本体とが係合すると共に、上記金属端子２０ａ，２０ａと上記コンセント１１内部の金属端子が電気的に接続し得るように構成されている。尚、上記Ｌ型金属端子２０ａ，２０ａのＬ型部が上記引掛孔１１ａ，１１ａに係合するため、上記プラグ２０は上記コンセント１１に抜け止めされた状態で接続される。
この引掛シーリングコンセント１１にはその外周部の１８０度の角度を隔てた対称位置に外側方向に突出するＬ型の係合金具１１ｂ，１１ｂが突設されている。また、上記係合金具１１ｂ，１１ｂには取付孔１１ｂ’，１１ｂ’が貫通形成されている。
【００２７】
１２は照明器具の取付装置の本体であり、外周面全体（外周面）に雄螺子１３ａが形成された円筒状の支持筒１３と（図３参照）、上記引掛シーリングコンセント１１の係合金具１１ｂ，１１ｂに係合するための上部リング状金具１４と（図３参照）、下側に取り付けられる照明器具２１（図８参照）に接続するための下部リング状金具１５（図３参照）と、上記リング状金具１５と接続されるものであって、照明器具２１の引掛プラグ２２が接続される引掛コンセント１６（図４参照）と、上記支持筒１３に螺合された透明部材からなる傘状の押え部材１７（図６参照）とから構成されている。
尚、本発明において、天井面に設置されるコンセントを引掛シーリングコンセント１１といい、支持筒１３下面における照明器具２１が接続されるコンセントを引掛コンセント１６という。また、上記各コンセントに接続されるプラグは、本体１２のプラグ、照明器具２１のプラグ共に、引掛プラグ２０（本体１２、図１参照）、引掛プラグ２２（照明器具２１、図８参照）という。
【００２８】
上記支持筒１３は、図３に示すように、上下方向開口の貫通孔１３ｂを有しており、該貫通孔１３ｂの内壁の対向面には一対の取付用ボス１８，１８が中心方向に突出形成されており、当該取付用ボス１８，１８の上下面（ビス孔１８ａ，１８ａ）に上記上部リング状金具１４及び下部リング状金具１５が各々ビスＢ１，Ｂ１、Ｂ３，Ｂ３にて取り付けられるように構成されている。
【００２９】
上記上部リング状金具（上部取付具）１４は、その外周の１８０度の角度を隔てた対称位置に、外側方向に突出するＬ型取付部１４ａ，１４ａが突設されており、当該Ｌ型取付部１４ａ，１４ａの水平面には取付孔１４ａ’，１４ａ’が貫設されている。また、上記Ｌ型取付部１４ａ，１４ａに対応する金具本体１４には、円形挿入部１９ａと円弧状長孔部１９ｂから構成された一対の係合用長孔１９，１９が対称位置に貫設されている。そして、かかるリング状金具１４は上記支持筒１３上（上面側）に載置された状態で、ビスＢ１，Ｂ１を上記係合用長孔１９，１９を介して上記支持筒１３の取付用ボス１８，１８（ビス孔１８ａ，１８ａ）に螺合することで、上記支持筒１３上面に固定される（図７（ａ）参照）。尚、上記リング状金具１４の取り付けは、予め上記ビス孔１８ａ，１８ａに上記ビスＢ１，Ｂ１を螺子込んでおき、上記円形挿入部１９ａ，１９ａ内に上記ビスＢ１，Ｂ１の頭を挿入して上記リング状金具１４を回転し、上記ビスＢ１，Ｂ１の頭を円弧状長孔部１９ｂ，１９ｂに係合させることで簡単に行うことができる。尚、上記リング状金具１４の内側開口を符号１４ｂで表す。
【００３０】
上記下部リング状金具（下部取付具）１５は、上記上部リング状金具１４と同様に、その外周の１８０度の角度を隔てた対称位置に、外側方向に突出するＬ型取付部１５ａ，１５ａが突設されており、当該Ｌ型取付部１５ａ，１５ａの水平面には取付孔１５ａ’，１５ａ’が貫設されている。また、上記Ｌ型取付部１５ａ，１５ａに対応する金具本体１５には、円形挿入部１９ａと円弧状長孔部１９ｂから構成された一対の係合用長孔１９，１９が対称位置に貫設けられている。そして、かかるリング状金具１５は上記支持筒１３下（下面側）に接した状態で、ビスＢ３，Ｂ３を上記係合用長孔１９，１９を介して上記支持筒１３の取付用ボス１８，１８（ビス孔１８ａ，１８ａ）に螺合することで、上記支持筒１３下面に固定される（図７（ａ）参照）。尚、上記リング状金具１５の取り付けは、上記上部リング状金具１４と同様に、予め上記ビス孔１８ａ，１８ａに上記ビスＢ３，Ｂ３を螺子込んでおき、上記円形挿入部１９ａ，１９ａ内に上記ビスＢ３，Ｂ３の頭を挿入して上記リング状金具１５を回転し、上記ビスＢ３，Ｂ３の頭を円弧状長孔部１９ｂ，１９ｂに係合させることで簡単に行うことができる。尚、上記リング状金具１５の内側開口を符号１５ｂで表す。
【００３１】
上記引掛コンセント１６は、図４に示すように、円板状の本体１６ａと、該本体１６ａの中央部より下方に突出した円筒状コンセント部１６ｂとにより構成されており、上記円筒状コンセント部１６ｂの下面には、円弧状の一対の引掛孔１６ｃ，１６ｃが設けられており、後述の照明器具２１の引掛プラグ２２のＬ型の金属端子２２ａ，２２ａ（図８参照）を挿入して回転させることにより、上記金属端子２２ａ，２２ａと上記コンセント１６本体の電気接続部（金属端子）１６ｄ（図１参照）とが係合すると共に、上記金属端子２２ａ，２２ａと上記コンセント１６内部の上記電気接続部１６ｄが電気的に接続し得るように構成されている。
【００３２】
この引掛コンセント１６は、その本体１６ａに２箇所のビス孔１６ｅ，１６ｅが貫設されており（図４参照）、当該ビス孔１６ｅ，１６ｅを介してビスＢ４，Ｂ４を上記リング状金具１５の板面の螺子孔１５ｃ，１５ｃに螺合することにより上記リング状金具１５の下面に固定されるものである。（図７（ｂ）参照）
【００３３】
また、この引掛コンセント１６の上記電気接続部１６ｄには電気線２３が接続されており（図１参照）、該電気線２３の端部には上記引掛プラグ２０が接続されている。よって、上記引掛プラグ２０のＬ型の金属端子２０ａ，２０ａを上記天井面１０の上記引掛シーリングコンセント１１に接続することにより、上記引掛コンセント１６と上記引掛シーリングコンセント１１とを電気的に接続し得るように構成されている。上記電気線２３及び上記引掛プラグ２０は上記下部リング状金具１５の内側開口１５ｂ、上記支持筒１３の貫通孔１３ｂ、上部リング状金具１４の内側開口１４ｂを介して上記支持筒１３の上側の開口から支持筒１３外に引き出され、上記天井面１０の上記引掛シーリングコンセント１１に接続される（図１参照）。
【００３４】
上記押え部材１７は、内部に雌螺子１７ｄが形成された円筒状係合部１７ａと、当該円筒状係合部１７ａの下縁（周面の下縁）より下向き円錐状に広がった略円錐形状の下向押え円板１７ｂとにより形成されており、上記支持筒１３に上記円筒状係合部１７ａを螺合することにより、上記支持筒１３に接続されている。この押え部材１７の位置は、上記支持筒１３に対する螺合位置により調整することができ、下側に接続される照明器具２１の形状等に応じて、上記支持筒１３に対して上記円筒状係合部１７ａを一方向又は逆方向に回転することにより当該押え部材１７を上記支持筒１３に対して下方（後述の照明器具２１の方向）又は上方（天井面１０の方向）に移動させ、上端位置（図１位置ａ）、中間位置（図１位置ｂ）、下端位置（図１位置ｃ）等の任意の位置に固定し得るものである。
【００３５】
上記下向押え円板１７ｂの上記円筒状係合部１７ａとの接続部における１８０度の角度を隔てた対称位置には方形の挿入孔１７ｃ，１７ｃが形成されている（図７（ｂ）参照）。この挿入孔１７ｃ，１７ｃは、上記本体１２を上記引掛シーリングコンセント１１に取り付ける際、上記リング状金具１４のＬ型取付部１４ａ，１４ａと上記シーリングコンセント１１のＬ型の係合金具１１ｂ，１１ｂとを接合してビスＢ２，Ｂ２で両者を下側から固定する作業を行うが、このとき、上記挿入孔１７ｃ，１７ｃからドライバーの先端を挿入して上記両Ｌ型取付部１４ａ，１４ａ、係合金具１１ｂ，１１ｂを締結するビスＢ２，Ｂ２を回転可能とするためのものである。このように挿入孔１７ｃ，１７ｃにドライバーの先端を挿入してビスＢ２，Ｂ２の締結作業を行うことができるので、本体１２の天井面１０への取り付け作業を円滑に行うことができる。
【００３６】
この押え部材１７は、樹脂製の成形品であり、透明素材により形成することが好ましい。特に、上記押え円板１７ｂの全体を透明にすることにより、上記天井面１０側の上記引掛シーリングコンセント１１が上記透明の押え円板１７ｂを介して目視できるため、上記コンセント１１への本体１２の取り付け作業を容易に行うことができる（図６参照）。
【００３７】
上記押え部材１７の下向押え円板１７ｂの円周の下縁１７ｂ’は、図９に示すように取り付けられる照明器具２１の上面２１ｂに全周が当接して、当該照明器具２１のぐら付きを抑えるものである。上記下向押え部材１７ｂの下端１７ｂ’は、上記照明器具２１の中心軸（中心）Ｃを中心として、照明器具２１の上面２１ｂ全体の半径Ｔ（上記中心Ｃから外側端までの距離Ｔ）の１／２以上の範囲の円を超える広い円（半径Ｔ’の円）となっており、このように下端１７ｂ’が上記半径Ｔ’の広い範囲に亘って上記照明器具２１の上面２１ｂに当接することにより、当該照明器具２１を確実に支持し、当該照明器具２１のぐら付きを抑制することができる。
【００３８】
また、上記押え部材１７の上記下向押え円板１７ｂは上記半径Ｔ’の円において、広い範囲で上記照明器具２１の上面２１ｂに当接することで、上記下向押え円板１７ｂに対応する範囲の上記天井面１０の汚れを防止することができる。
【００３９】
本発明は上述のように構成されるものであるから、本発明の照明器具の取付装置を使用して照明器具２１を天井１０に取り付けるには、まず照明器具の取付装置の本体１２を以下の手順で組み立てる。
【００４０】
支持筒１３の上面に上部リング状金具１４を載置し、ビスＢ１，Ｂ１を係合用長孔１９，１９を介して取付用ボス１８，１８のビス孔１８ａ，１８ａに螺子込むことにより、上記上部リング状金具１４を上記支持筒１３の上面に固定する。その後、上記上部リング状金具１４を少し回転させることにより、上記ボスＢ１，Ｂ１の頭を円弧状長孔部１９ｂ，１９ｂに係合することにより固定する。
【００４１】
その後、押え部材１７の円筒状係合部１７ａを下向押え円板１７ｂを下側として上記本体１３の下側から該支持筒１３に螺合し、右方向に所定量回転して適所（例えば図１の位置ｂ）に係止しておく。
【００４２】
その後、上記支持筒１３の下側に下部リング状金具１５を宛がい、ビスＢ３，Ｂ３を係合用長孔１９，１９を介して取付用ボス１８，１８のビス孔１８ａ，１８ａに螺子込むことにより、上記下部リング状金具１５を上記支持筒１３の下面に固定する。尚、当該下部リング状金具１５も、少し回転することにより、上記ビスＢ３，Ｂ３の頭を上記円弧状長孔部１９ｂ，１９ｂに係合することにより当該金具１５を上記支持筒１３下面に固定する。
【００４３】
その後、上記下部リング状金具１５の下面に引掛コンセント１６を宛がい、該コンセント１６の電気線２３及び引掛プラグ２０を上記支持筒１３の貫通孔１３ｂ内に挿入し、上部の開口から支持筒１３より上方に引き出した状態（図１の状態）で、図４に示すように、ビスＢ４，Ｂ４をビス孔１６ｅ，１６ｅを介して上記下部リング状金具１５の螺子孔１５ｃ，１５ｃに螺子込むことにより、当該コンセント１６を上記下部リング状金具１５の下面に固定する（図７（ｂ）参照）。
【００４４】
かかる手順により、図８に示す照明器具の取付装置の本体１２を構成することができた。次に、この本体１２を天井面１０の引掛シーリングコンセント１１に固定する手順を説明する。
【００４５】
まず、本体１２の貫通孔１３ｂから引き出された引掛プラグ２０の金属端子２０ａ，２０ａを天井面１０の上記引掛シーリングコンセント１１の引掛孔１１ａ，１１ａに接続し、当該プラグ２０と上記コンセント１１を電気的に接続する。
【００４６】
その後、押え部材１７を右又は左に回転し、２箇所の挿入孔１７ｃ，１７ｃの位置を上部リング状金具１４のＬ型取付部１４ａ，１４ａの位置に合わせる。尚、上記位置を合わせた状態を図６、図７（ａ）（ｂ）に示す。この状態において、当該本体１２の上部リング状金具１４のＬ型取付部１４ａ，１４ａを天井面１０の引掛シーリングコンセント１１のＬ型の係合金具１１ｂ，１１ｂに宛がい（図９参照）、上記押え部材１７の挿入孔１７ｃ，１７ｃの下側からドライバーの先端を上記挿入孔１７ｃ，１７ｃ内に挿入し、当該挿入したドライバーの先端にてビスＢ２，Ｂ２を上部Ｌ型取付部１４ａ，１４ａの取付孔１４ａ’，１４ａ’を介して上記引掛シーリングコンセント１１の上記係合金具１１ｂ，１１ｂの取付孔１１ｂ’，１１ｂ’に螺子込むことにより、図９に示すように、当該本体１２を上記引掛シーリングコンセント１１に固定する。これで、本発明に係る照明器具の固定装置の本体１２が天井面１０の引掛シーリングコンセント１１に固定することができた。
【００４７】
以降は、照明器具（２１等）を当該本体１２に接続すれば良い。例えば図９に示す照明器具２１を接続する場合は、まず照明器具２１の引掛プラグ２２のＬ型金属端子２２ａ，２２ａ（図８）を上記本体１２の引掛コンセント１６の引掛孔１６ｃ，１６ｃに接続して上記プラグ２２と上記コンセント１６の電気接続部１６ｄとを電気的に接続し、その後、上記照明器具２１の接続部２１ａを上記本体１２のＬ型取付部１５ａ，１５ａにビスＢ５，Ｂ５によって固定する（図９参照）。
【００４８】
尚、上記Ｌ型金属端子２２ａ，２２ａを上記コンセント１６の引掛孔１６ｃ，１６ｃに係合すると、上記照明器具２１の引掛プラグ２２と上記引掛コンセント１６は引掛状態で係合するので、これらプラグ２２とコンセント１６の係合のみで、照明器具２１を上記支持筒１３に接続しても良い。他方、照明器具２１が大型或いは重い場合等は、上記プラグ２２とコンセント１６との係合と共に、上記下部リング状金具１５と上記照明器具２１の接続部２１ａとを接続固定することが好ましい。この場合、接続部２１ａと上記Ｌ型取付部１５ａ，１５ａとをビスＢ５，Ｂ５等により固定する（図９参照）。
【００４９】
その後、上記押え部材１７を左方向に回転することで当該押え部材１７の支持筒１３に対する位置を下降させて行き、上記押え部材１７の下向押え円板１７ｂの下縁１７ｂ’を上記照明器具２１の上面２１ｂに当接させる。このように、下向押え円板１７ｂの下縁１７ｂ’が上記照明器具２１の上面２１ｂに当接することで、上記照明器具２１は上記押え部材１７によってその上面に半径Ｔ’の円の下縁１７ｂ’が当接することになり、上記照明器具２１の上面２１ｂが広い範囲に亘って抑えられるため、照明器具２１のぐら付きを抑制することができる。
【００５０】
上記押え部材１７の円筒状係合部１７ａは上記支持筒に確実に螺合しており、かつ本体１２自体は天井面１０の係合金具１１ｂ，１１ｂに確実に固定されているため、上記下向押え円板１７ｂによって上記照明器具２１は確実に支持され、ぐら付きが抑えられる。
【００５１】
また、上記下向押え円板１７ｂが半径Ｔ’の広い範囲に亘って、上記照明器具２１の上面の半分以上を被覆するため、照明器具２１の上面２１ｂに対応する天井面１０に汚れが付着することを防止することができる。
【００５２】
図１０は本発明に係る照明器具の固定装置の他の実施形態であり、図９の実施形態と同一部分については同一符号を付している。この実施形態では、天井面１０と照明器具２１の上面２１ｂとの間隔Ｔ２を図９の実施形態の場合（間隔Ｔ１）に比較して非常に短く設定し、照明器具２１を天井面１０に近接して取り付けたものである。
【００５３】
そのため上記支持筒１３の上下幅が非常に短く形成されており、押え部材１７の円筒状係合部１７ａの上下幅も短く形成され、上記下向押え円板１７ｂの水平面に対する開き角度も小さく形成しており、照明器具の取付装置の本体１２自体の上下幅が全体として短く形成されている。
【００５４】
そして、同図の照明器具２１はその引掛プラグ２２が照明器具２１の上面２１ｂより下方に設けられており、その接続部２１ａが上記Ｌ型取付部１５ａ，１５ａにビスＢ５，Ｂ５を以って固定されている。
【００５５】
この実施形態においても、下向押え円板１７ｂの下縁１７ｂ’が上記照明器具２１の上面２１ｂに当接することで、上記照明器具２１は上記押え部材１７によってその上面に半径Ｔ’の下縁１７ｂ’が当接することになり、上記照明器具２１の上面２１ｂが広い範囲に亘って抑えられるため、照明器具２１のぐら付きを抑制することができる。
【００５６】
また、上記下向き押え円板１７ｂが半径Ｔ’の範囲に亘って、上記照明器具２１の上面の半分以上を被覆するため、照明器具２１と天井面１０とがこのように近接している場合であっても、照明器具２１の上面２１ｂに対応する天井面１０に汚れが付着することを防止することができる。
【００５７】
以上のように、本発明によれば、天井面１０に照明器具２１を取り付けた状態で、照明器具２１は押え部材１７の下向押え円板１７ｂの下縁１７ｂ’にて保持されるので、照明器具２１のぐら付きを効果的に抑制することができる。
【００５８】
また、押え部材１７は支持筒１３に対して回転することにより、その下向押え部材１７ｂの下縁１７ｂ’の支持筒１３に対する位置を、支持筒１３の軸方向に移動し得るため、各種の形状、大きさの照明器具であっても、上記下縁１７ｂ’の位置を調整することによって、確実に上記下縁１７ｂ’を照明器具２１の上面２１ｂに当接させて照明器具を保持することができ、よってどのような形状、大きさの照明器具であっても確実にぐら付きを防止することができる。
【００５９】
また、照明器具２１と天井面１０との間に上記押え部材１７の下向円錐状の下向押え円板１７ｂが位置しているので、照明器具２１に対応する天井面１０の黒ずみ等の汚れを効果的に防止することができる。
【００６０】
また、挿入孔１７ｃからドライバーを挿入して当該装置を天井面１０の取付部（引掛シーリングコンセント１１）に固定することができ、照明器具の取付装置の天井面１０への取り付け作業を円滑に行うことができる。
【００６１】
また、透明素材の下向押え円板１７ｂを通して上部取付具（上部リング状金具１４）や天井面の取付部（引掛シーリングコンセント１１）を目視可能であるため、円滑に取り付け作業を行うことができるので、
【００６２】
また、下向押え部材１７ｂの下縁１７ｂ’が広い範囲で照明器具２１の上面２１ｂを被覆するので、照明器具２１のぐら付きを確実に抑制し得ると共に、天井面１０の黒ずみをも確実に防止することができる。
【産業上の利用可能性】
【００６３】
本発明の照明器具の取付装置は、一般家庭の室内照明、アパート等の賃貸住宅の室内照明、オフィスビル、店舗等の室内照明等、各種の照明器具の取付装置として広く利用することができる。
【符号の説明】
【００６４】
１０        天井面
１１        引掛シーリングコンセント
１１ｂ      係合金具
１２        照明器具の取付装置
１３        支持筒
１３ａ      雄螺子
１３ｂ      貫通孔
１４        上部リング状金具（上部取付具）
１５        下部リング状金具（下部取付具）
１６        引掛コンセント
１６ｃ      引掛孔
１７        押え部材
１７ａ      円筒状係合部
１７ｂ      下向押え円板
１７ｂ’    下縁
１７ｃ      挿入孔
２０        引掛プラグ（支持筒）
２１        照明器具
２１ａ      接続部
２１ｂ      上面
２２        引掛プラグ（照明器具）
２３        電気線
Ｂ２        ビス
Ｔ          照明器具の中心から外側端までの距離
Ｔ’        下縁の半径
【図１】
0005677675.tif 000002
【図２】
0005677675.tif 000003
【図３】
0005677675.tif 000004
【図４】
0005677675.tif 000005
【図５】
0005677675.tif 000006
【図６】
0005677675.tif 000007
【図７】
0005677675.tif 000008
【図８】
0005677675.tif 000009
【図９】
0005677675.tif 000010
【図１０】
0005677675.tif 000011
【図１１】
0005677675.tif 000012